(57)【要約】本発明は、少なくとも１つの通信用インターフェースが鞄に組み込まれており、この通信用インターフェースを用いて、鞄に含まれる多数の電気機器を相互に接続でき、その結果、電気機器の間でデータ交換を行える鞄に関するものである。
2004514523.tif 000002
【特許請求の範囲】
【請求項１】
少なくとも１つの通信用インターフェースが組み込まれており、このインターフェースを用いて、鞄に含まれる多数の電気機器を相互に電気的に接続でき、その結果、上記電気機器の間でデータ交換を行える鞄。
【請求項２】
上記鞄に組み込まれている多数の通信用インターフェースを有する請求項１に記載の鞄。
【請求項３】
上記鞄に組み込まれている電源端子を有し、上記鞄に含まれる上記電気機器に電力を供給するために、上記電源端子に、上記鞄に含まれる電源ユニットを接続できる請求項１または２に記載の鞄。
【請求項４】
上記鞄に組み込まれている電気配線を有し、この電気配線は、上記通信用インターフェースに接続されており、上記電気機器の間でデータ交換を行うための通信ネットワークを形成している請求項１〜３のいずれか１項に記載の鞄。
【請求項５】
電気信号を送信するための無線送信機と、
電気信号を受信するための無線受信機とを備え、
上記無線送信機および／または上記無線受信機が、上記通信用インターフェースに接続されている請求項１〜４のいずれか１項に記載の鞄。
【請求項６】
上記鞄の使用者を認証するための認証ユニットを有する請求項１〜５のいずれか１項に記載の鞄。
【請求項７】
上記認証ユニットが、音声認識ユニット、および／または指紋センサーを備えている請求項６に記載の鞄。
【請求項８】
上記認証ユニットは、上記鞄の鍵に備えられている請求項６または７に記載の鞄。
【請求項９】
上記電気機器の少なくとも一部が、通信手段を備えている以下の電気機器：
移動式無線電話、
ＧＰＳユニット、
ポータブルコンピュータ、
コンピュータ、
ゲーム装置、
データ表示ユニット、
マイクロフォン、
スピーカー、
音声認証ユニット、および／または
カメラ、
のうちの１つとして設計されている請求項１〜８のいずれか１項に記載の鞄。
【請求項１０】
上記鞄に組み込まれているキーボードを有する請求項１〜９のいずれか１項に記載の鞄。
【請求項１１】
上記キーボードは、接触感知キーボードとして設計されている、および／または、上記キーボードのキー構成部として容量性センサーを備えている請求項１０に記載の鞄。
【請求項１２】
以下の種類の鞄：
書類ケース、
学校鞄、
リュックサック、
トランク、または、
ハンドバック
のうちの１つとして設計されている請求項１〜１１のいずれか１項に記載の鞄。
【発明の詳細な説明】
例えば上着またはセーターのような衣服に、データ処理のための電気機器を組み込み、通信用インターフェースを介して電気機器を相互に接続することが知られている。
【０００１】
衣服にデータ処理のために相互に接続されている電気機器を組み込むことは、「ウエアラブル・エレクトロニクス」とも称される。
【０００２】
このような衣服により、衣服の電気機器を用いた通信および情報提供、ならびに、電気機器同士および他の外部データネットワーク（外部通信ネットワーク）との相互作用を、いつでも、どこでも保証できる。
【０００３】
このような衣服は、特に、以下に詳しく説明するような不都合がある。
【０００４】
衣服に組み込まれた移動式電子装置は、常に使用できる状態にある必要があるので、各衣服にこの電子装置を取り付ける、つまり組み込む必要がある。これにより、コストが高くなる。なぜなら、個々の電気機器が、（それぞれこの機能性を有する必要のある各存在する衣服のために）何個も必要だからである。コストの問題から、このような衣服は、特別な用途にしか効果的ではなく、現在のところ、個々の電気機器の値段が非常に高いので、大量市場には適していない。衣服を着替える時に、通常は衣服に縫い込まれている、または、他の方法で組み込まれている電気機器を交換するには手間がかかり、使用者にとっては、使いにくく、着装時の快適さが非常に悪い。
【０００５】
データの入力のための入力部インターフェース、および、データの出力のための出力部インターフェースを衣服に取り付けるには非常に手間がかかる。さらに、衣服が上着の場合、上着のどの部分に、例えば（人間工学的な）キーボードまたはタッチパッドまたはディスプレイを適切に取り付けられるかということが不確かである。衣服に取り付けられた電気機器を音声により制御することも、衣服の使用者にとって、どのような状況でも可能または適当であるとは限らない。
【０００６】
さらに、衣服に無線通信機器を組み込む場合、高周波数の電気信号を送信するアンテナを、常に体の近くに取り付けなければならないという不都合が生じる。このことは、衣服の着用者の健康障害につながる可能性があり、従って、購入意欲のある買い手に、このような衣服の購入を躊躇させてしまう。
【０００７】
さらに、必要な電気機器を組み込むために十分なスペースの設けられたこのような衣服を着ることが、全ての環境条件もしくはどのような状況（例えば、非常に高い気温）においても、都合がよい、あるいは可能であるとは限らない。
【０００８】
ライマ社（登録商標）（ＲｅｉｍａＴＭ）の、［１］に記載のような極寒環境条件用の保護服が知られている。
【０００９】
［１］に記載の保護服は、保護服に組み込まれた以下の電気機器を備えている：
ＧＰＳユニット（ＧＰＳ：全地球位置発見システム）、
移動式無線電話、
保護服の着用者が意識不明あるいは強い痛みを感じている場合にＳＯＳを自動発信するための無線端末ユニット、
電子心拍記録装置、
事故の可能性を伝達するための複数の加速センサー、
暖房装置、
表示ユニット（ディスプレイ）と操作スイッチとを有するコンピュータユニット。
【００１０】
［１］に記載の保護服には、電気機器が備えられている衣服の上述した一般的な不具合がある。
【００１１】
さらに、［２］により、電気配線を衣服の布地に組み込むこと、例えば、織り込むことが知られている。
【００１２】
さらに、［３］に、布地キーボード（Ｓｔｏｆｆｔａｓｔａｔｕｒ）、すなわち、具体的には導電性の布地からなる複数の層を備えるタッチパッドが記載されている。
【００１３】
さらに、［４］に、様々な表示ユニット、すなわち、例えば液晶表示装置、ＯＬＥＤディスプレイ、いわゆる電子ペーパー、および、電子インクについての概要が記載されている。
【００１４】
さらに、［５］により、通信端末機が知られている。この通信端末機は、通信情報の送信および受信のために適用されており、放送送信機および／または放送受信機に組み込まれている。この端末は、多数のモジュールを備えている。これらのモジュールは、その機能性について、［５］の図１にブロック図として記号により表されている。
【００１５】
さらに、これに加えて、［６］により、持ち運び可能なデータ処理システムおよび、トランク形状の書類ケースが知られている。［６］によれば、データ処理システムは、複数のモジュール部品により構成されている。これら複数のモジュール部品は、取り出したり交換できるように、トランク形状の書類ケースの１あるいはそれ以上の部分に収納されている。個々の構成要素は、外部ケーブルにより接続されている。
【００１６】
さらに、［７］に、書類トランクが記載されている。この書類トランクには電気盗難防止器が備えられており、見知らぬ者が触るとアラームを発信する。
【００１７】
さらに、［８］では、データ記録媒体または例えばＣＤ−ＲＯＭからのデータあるいはバイナリー情報を画面上で見ることができ、聴くことのできる装置が知られている。
【００１８】
本発明の目的は、個人用の移動式通信のために複数の電気機器を互いに接続するということ、および、情報を提供するというということにあり、これにより、衣服に組み込まれた電気機器の上記不具合の少なくとも一部が軽減される。
【００１９】
本目的は、独立請求項に基づく特徴を有する鞄により達成される。
【００２０】
鞄は、鞄に組み込まれている少なくとも１つの通信用インターフェースを備えている。このインターフェースを用いて、好ましくはデジタルであるデータが電気機器の間で交換されるように、鞄に含まれる多数の電気機器を、相互に電気的に接続できる。
【００２１】
従って、鞄は、鞄に組み込まれた通信用インターフェースおよび鞄内に構成されている通信ネットワークを有する、ポータブルオフィス（ｐｏｒｔａｂｌｅｓ Ｂｕｅｒｏ）である。
【００２２】
通信ネットワークは、様々な実施例に基づき、例えば、鞄に組み込まれている電気配線、あるいは、鞄に含まれる無線送信機および無線受信機を用いて実現されている。この電気配線は、通信ネットワークのバス配線として、電気機器の間をデータ送信するために使用される。この無線送信機および無線受信機は、鞄内に含まれる第１電気機器から、鞄内の第２電気機器へと、電気信号を送信したり電気信号を受信したりするためのものである。
【００２３】
電気機器の間のデータ交換は、双方向に行われることが好ましい。
【００２４】
「組み込まれた」という概念を、以下の説明では、対応する組み込まれた構成部が、鞄の一部であると解釈する。例えば、各構成部は、鞄の布地材料に縫い込まれた材料、または、他の方法では、例えば、電気配線［２］に記載のような布地材料に直接織り込まれた導電性材料である。
【００２５】
鞄に、電源端子を組み込める。鞄に含まれる電源ユニット、例えば、鞄に含まれている通信用インターフェースおよび電源端子に接続されている電気機器に電力を供給するために、蓄電池またはバッテリーを接続できる。
【００２６】
鞄に電気配線が組み込まれているこの電気配線は、通信用インターフェースまたは鞄に組み込まれている多数の通信用インターフェースに接続されており、これらと共に通信ネットワークを形成している。
【００２７】
通信ネットワークを介して電気機器の間でデータ交換を行うために、任意の通信プロトコルが使用される。
【００２８】
あるいは、通信ネットワークを、無線ネットワークとして設計してもよい。この場合、電気信号を送信するための無線送信機、および、無線送信機が送信した電気信号を受信するための無線受信機が鞄に含まれている。
【００２９】
無線送信機および／または無線受信機は、通信用インターフェースに接続されている。
【００３０】
上記のように形成される無線通信ネットワークを介してデータを送信するために、任意の伝送プロトコル、例えば、移動式無線プロトコル、または、「ブルートゥース」に基づくプロトコルも使用できる。
【００３１】
このような鞄のデータ保護性および盗難防止性を高めるために、付加的に鞄に組み込まれている、鞄の使用者を認証するための認証ユニットにより、鞄へのアクセスを管理できる。
【００３２】
この認証ユニットは、例えば、鞄の鍵に組み込まれている指紋センサーでもよい。
【００３３】
あるいは、音声認証のためのユニットが、認証ユニットとして鞄に組み込まれていてもよい。
【００３４】
本発明の他の形態では、鞄の使用者が、無線機、例えば、認証のための受動トランスポンダチップを持っている必要があり、このトランスポンダチップは、例えば、腕時計に組み込まれていてもよく、また、使用者、つまり無線機の所有者、すなわち、無線機そのものが、鞄の近くに存在しており、その結果、トランスポンダチップと鞄との間に無線接続が形成される場合にのみ、鞄の鍵により、一般的には鞄を開けることができ、鞄の電子機器を使用できると考えられる。無線機が、鞄の周囲の所定の領域外にある場合、鞄にある電気機器は起動せず、従って機能しない。
【００３５】
さらに、この形態では、アラーム発信ユニットを備えていてもよい。このアラーム発信ユニットは、無線機が認証ユニットの所定の範囲外に存在する場合、アラーム信号を発信する。このようにして、鞄の使用者にすでに非常に早い時点で鞄の盗難を通報できる。
【００３６】
以下にさらに詳しく説明するように、鞄には以下の電気機器が含まれていてもよい。これらは１つまたは複数の通信用インターフェースに接続されており、それによって相互に接続されている。
【００３７】
移動式無線電話、
ＧＰＳユニット、
データメモリー、
ポータブルコンピュータ、
オーガナイザー、
コンピュータ、
ゲーム装置、
データ表示ユニット、
マイクロフォン、
スピーカー、
音声認識ユニット、および／または
カメラ、
など。
【００３８】
さらに、鞄には、キーボードが組み込まれていてもよく、例えば［３］に記載されているような布地キーボードが有利である。
【００３９】
さらに、キーボードは、接触感知キーボード（Ｆｏｌｉｅｎｔａｓｔａｔｕｒ）として設計されていてもよい。
【００４０】
キーボードの個々のキー構成部は、容量性センサー（ｋａｐａｚｉｔａｔｉｖｅ Ｓｅｎｓｏｒｅｎ）を備えていてもよい。この容量性センサーにより、キー構成部に圧力がかかっていることを感知でき、キーの起動として解釈される。
【００４１】
鞄を、例えば以下の鞄の種類と解釈する：
書類ケース、
学校鞄、
リュックサック、
トランク、または
ハンドバック。
【００４２】
本発明には、持ち運び可能な通信中枢部を形成するために発展した鞄が含まれることは明らかである。この場合、持ち運び可能な通信中枢部は、モジュラーの情報技術電子装置を組み込むことにより実施される。
【００４３】
鞄は、従って、具体的には、鞄に含まれる個々のモジュール、つまり、各電気機器、付随的な共通電源、および例えばキーボードまたは表示ユニットのようなさらなる使用者インターフェースを接続する通信ネットワークのキャリアとしての役割を果たす。
【００４４】
本発明には、特に以下の利点がある：
電気機器を常に使用できる。
【００４５】
さらに、衣服と比べて、鞄の表面には、柔軟なキーボードまたは表示ユニットを組み込めるという多くの可能性が与えられている。
【００４６】
ノートパソコンの通常の操作構成部（ｄｉｅ ｕｅｂｌｉｃｈｅｎ Ｂｅｄｉｅｎｅｌｅｍｅｎｔ）、つまり通常の表示ユニットおよびキーボードは、鞄の蓋、あるいは鞄の正面側に組み込まれている。
【００４７】
本発明のこの形態により、鞄をより簡易化し、コンパクトにできる。すなわち、製造コストは低くなり、簡単な操作が達成される。
【００４８】
表示ユニットは、例えば［４］に記載されているような電子ペーパー、液晶表示装置、またはＯＬＥＤ（有機発光ダイオード）を有する表示ユニットとして設計されていてもよい。
【００４９】
本発明の他の長所は、体に対して通常ある程度の間隔をあけて鞄を持つので、電気高周波数信号が直接体に接して装着されているアンテナから発信される場合と比較して、鞄に組み込まれているアンテナを介して発信される高周波数の電気信号については通常心配する必要がないことである。通常、鞄の体と対面している側に、電磁波に対する遮蔽部がさらに備えられていてもよい。
【００５０】
一般的には、鞄であれば、電気機器が組み込まれている衣服よりも、普遍的かつ柔軟に使用できることがわかる。
【００５１】
さらに、本発明により、電気機器や、この電気機器に格納されている情報やデータの盗難を、例えば本発明の設計に基づいて備えられている付加的な認証ユニットを用いて簡単に防止できる。
【００５２】
要するに、これにより操作環境が作り出され、この操作環境により、高いデータ保護性および高い盗難防止性が達成され、より簡便な操作や着用したときの快適さ、普遍的な使用可能性および望ましい情報提供の高く恒常的な利用可能性が達成される。
【００５３】
本発明の実施例を図に示し、さらに詳しく説明する。
【００５４】
図１は、本発明の実施例に基づく鞄を描写した図である。図２は、図１の鞄を開けた状態を描写した図である。図３は、図１の鞄を開けた状態の側面図である。
【００５５】
図では、同じ部材に、同じ参照番号が付けられている。
【００５６】
図１に示す鞄１００は、２つの側部１０１、正面部１０２、底構成部１０３、開けることのできる蓋構成部１０４、および、蓋構成部１０４の背面に取り付けられた手提げ部１０５を備えている。
【００５７】
さらに、調節可能な肩掛け用ストラップ１０６が、鞄１００の側部１０１にある２つの固定部１０７，１０８に固定されている。
【００５８】
さらに、蓋構成部１０４に、鍵１０９が取り付けられている。この鍵１０９は、鞄１００の正面部１０２に取り付けられている第２鍵構成部と噛み合わせることができ、これにより鞄１００を閉じることができる。
【００５９】
鍵１０９は、この実施例では、指紋センサーを備えている。この指紋センサーは、所定の使用者の指紋を認識した場合にのみ鍵１０９を開け、鞄１００に含まれている以下に記載の電気機器を起動する。
【００６０】
鞄１００の底構成部１０３に、アンテナ１１０が組み込まれている。
【００６１】
さらに、メイン端子１１１、すなわち、メインプラグに接続するための差込接続部が、鞄１００の側部１０１に組み込まれている。
【００６２】
ハンドセット端子１１２は、調節可能な肩掛け用ストラップ１０６に取り付けられており、肩掛け用ストラップ１０６の中にある電気配線（図示せず）を介して、鞄１００に組み込まれている通信用インターフェース（図示せず）に接続されている。
【００６３】
外部電源部を接続するためのメイン端子１１１の代わりに、バッテリーまたは蓄電池が、鞄１００自体の内部区画（Ｉｎｎｅｎｆａｃｈ）に含まれており、対応する電気配線を介して、各電気機器に電流を供給するために各電気機器に接続されていてもよい。
【００６４】
この実施例では、蓋構成部１０４の内側蓋構成部２０１に、タッチスクリーンとして設計されている表示ユニット２０２が組み込まれている。表示ユニット２０２は、基本的に、鞄１００の蓋構成部１０４の内側蓋構成部２０１の中央に埋設されている（図２参照）。
【００６５】
２つのスピーカー２０３は、蓋構成部１０４の、内側の縁の領域２０４に埋設されている。
【００６６】
導電性接続部が組み込まれている第１区画３０１の外側に、キーボード２０５が備えられている。
【００６７】
この実施例では、第１区画３０１に、電気機器、例えば、移動式電話機または対応する差込接続部を有するポータブルコンピュータ（Ｈａｎｄｈｅｌｄ−Ｃｏｍｐｕｔｅｒ）を収容するために、収容区画（Ａｕｆｎａｈｍｅｆａｅｃｈｅｒ）（図示せず）が備えられている。さらに、各収容区画には、収容区画に収容されている各電気機器を、電気配線、すなわち、通信ネットワークに電気的に接続するための対応する通信用インターフェースが備えられている。
【００６８】
キーボード２０５は、第１区画３０１の上側２０６に備えられている。この場合、蓋構成部１０４と第１区画３０１の上側とが合わせて閉られるように設計されており、鍵１０９を用いて施錠できる。その結果、蓋構成部１０４は、鞄１００を閉じた状態のとき、キーボード２０５全体を覆っている。
【００６９】
このように、蓋構成部１０４は、キーボード２０５を保護するために使用される。
【００７０】
この実施例では、キーボード２０５が、接触感知キーボードとして設計されている。
【００７１】
さらに、他の設計では、キーボードを、例えば［３］に記載されているような布地キーボードとして設計することもできる。
【００７２】
さらに、鞄１００には、第１ファスナー３０２および第２ファスナー３０３が備えられている。
【００７３】
第１ファスナー３０２を用いて、第１区画３０１が開閉される。
【００７４】
第１区画３０１の内部空間には、複数の区画（図示せず）が備えられている。これら複数の区画には、電気機器、実施例では移動式無線電話機、ポータブルコンピュータ、および、ＭＰ３プレーヤーをそれぞれ埋設できる。
【００７５】
さらに、鞄１００の底構成部１０３には、各電気機器を、鞄１００の側部１０１および平面部に存在する通信ネットワークと接続し繋ぐために、複数の通信用インターフェースが組み込まれている。
【００７６】
通信用インターフェースは、固定されている差込接続部、例えば、並列または直列インターフェースとして、無線インターフェース、例えば、赤外線インターフェースとして、または、ケーブルにおいて各収容区画に突出する差込接続部として設計されていてもよい。
【００７７】
図３に、書類や他の文献、概して、他の電気的ではない用具を収容するための、第２区画３０４を示す。
【００７８】
第２区画３０４を開閉するために、第２ファスナー３０３が備えられている。
【００７９】
鞄１００には、通信用インターフェースおよび電気配線すなわち通信ネットワークを介して電気機器の通信を制御するために、中央処理ユニットが備えられている。
【００８０】
さらに、中央処理ユニットを用いて、例えば、所定の認証プロトコルを用いて、収容区画につなげられた電気機器の各種類を認識できる。
【００８１】
このような認識のための技術として、本発明の形態では、いわゆるブルートゥース技術が使用されている。
【００８２】
この場合、通信用インターフェースとして、赤外線インターフェースが備えられている。この赤外線インターフェースは、プロセスユニットが、鞄１００において、鞄１００の収容区画につなげられた各電気機器と通信するためのものである。
【００８３】
あるいは、各電気機器は、その認証を行うための各トランスポンダチップを備えていてもよい。
【００８４】
他の実施形態では、鞄１００からパソコンへ電気機器のデータを送信すること、または、例えば他の外部通信送信機器との通信接続を確立するためにデータを送信することを目的として、鞄１００にある電気機器を、外部装置、例えば、パソコンと同期化するため、無線インターフェースが鞄１００に組み込まれていることが考えられる。
【００８５】
この文献に、以下の出版物が引用されている：
［１］２０００年１２月４日、インターネットＵＲＬアドレス：
ｈｔｔｐ：／／ｗｗｗ．ｒｅｉｍａ．ｆｉ；から取得
［２］２０００年１２月４日、インターネットＵＲＬアドレス：
ｈｔｔｐ：／／ｗｗｗ．ｓｅｎｓａｔｅｘ．ｃｏｍ／ｔｅｃｈｎｏｌｏｇｙ．ｈｔｍ；から取得
［３］２０００年１２月４日、インターネットＵＲＬアドレス：
ｈｔｔｐ：／／ｗｗｗ．ｅｌｅｋｔｅｘ．ｃｏｍ；から取得
［４］Ｇ．Ｐ．Ｃｒａｗｆｏｒｄ，ポータブルディスプレイの画期的新分野（Ａ ｂｒｉｇｈｔ ｎｅｗ ｐａｇｅ ｉｎ ｐｏｒｔａｂｌｅ ｄｉｓｐｌａｙｓ， ＩＥＥＥ ＳＰＥＣＴＲＵＭ，４０〜４６ページ、２０００年１０月。
［５］ＤＥ１９９１９３６２
［６］ＤＥ４４００８５３
［７］ＤＥ１９５３７８５７
［８］ＤＥ１９７０１２８６
【図面の簡単な説明】
【図１】
本発明の実施例に基づく鞄を描写した図である。
【図２】
図１の鞄を開けた状態を描写した図である。
【図３】
図１の鞄を開けた状態の側面図である。
【符号の説明】
１００　鞄
１０１　側部
１０２　正面部
１０３　底構成部
１０４　蓋構成部
１０５　手提げ部
１０６　肩掛け用ストラップ
１０７　固定部
１０８　固定部
１０９　鍵
１１０　アンテナ
１１１　メイン端子
１１２　ハンドセット端子
２０１　内側蓋構成部
２０２　表示ユニット
２０３　スピーカー
２０４　縁の部分の内側蓋部分
２０５　キーボード
２０６　第１区画の表面
３０１　第１区画
３０２　第１ファスナー
３０３　第２ファスナー
３０４　第２区画
【国際公開パンフレット】
2004514523.tif 000003
2004514523.tif 000004
2004514523.tif 000005
2004514523.tif 000006
2004514523.tif 000007
2004514523.tif 000008
2004514523.tif 000009
2004514523.tif 000010
2004514523.tif 000011
2004514523.tif 000012
2004514523.tif 000013
2004514523.tif 000014
2004514523.tif 000015
2004514523.tif 000016
2004514523.tif 000017
2004514523.tif 000018
2004514523.tif 000019
2004514523.tif 000020
2004514523.tif 000021
2004514523.tif 000022
2004514523.tif 000023
2004514523.tif 000024
2004514523.tif 000025
【国際公開パンフレット（コレクトバージョン）】
2004514523.tif 000026
2004514523.tif 000027
【手続補正書】
【提出日】平成15年1月29日(2003.1.29)
【手続補正１】
【補正対象書類名】明細書
【補正対象項目名】特許請求の範囲
【補正方法】変更
【補正の内容】
【特許請求の範囲】
【請求項１】
鞄に組み込まれている多数の通信用インターフェースと、
上記鞄の壁に備えられている通信ネットワークとを備え、
この通信ネットワークを用いて、上記通信用インターフェースを相互に接続し、その結果、上記通信用インターフェースと上記通信ネットワークとを用いて、上記鞄に組み込まれている多数の電気機器を相互に電気的に接続でき、その結果、上記電気機器の間でデータ交換を行える鞄。
【請求項２】
上記鞄に組み込まれている電源端子を有し、上記鞄に含まれる上記電気機器に電力を供給するために、上記電源端子に、上記鞄に含まれる電源ユニットを接続できる請求項１に記載の鞄。
【請求項３】
布地材料からなる請求項１または２に記載の鞄。
【請求項４】
上記通信ネットワークは、布地材料に縫い込まれている請求項３に記載の鞄。
【請求項５】
上記通信ネットワークは、上記鞄に組み込まれている電気配線を備え、この電気配線は、上記電気機器の間でデータ交換を行うために上記通信用インターフェースに接続されている請求項１〜４のいずれか１項に記載の鞄。
【請求項６】
電気信号を送信するための無線送信機と、
電気信号を受信するための無線受信機とを備え、
上記無線送信機および／または上記無線受信機は、上記通信用インターフェースに接続されている請求項１〜５のいずれか１項に記載の鞄。
【請求項７】
上記鞄の使用者を認証するための認証ユニットを有する請求項１〜６のいずれか１項に記載の鞄。
【請求項８】
上記認証ユニットが、音声認識ユニット、および／または指紋センサーを備えている請求項７に記載の鞄。
【請求項９】
上記認証ユニットは、上記鞄の鍵に備えられている請求項７または８に記載の鞄。
【請求項１０】
上記電気機器の少なくとも一部が、通信手段を備えている以下の電気機器：
移動式無線電話、
ＧＰＳユニット、
ポータブルコンピュータ、
コンピュータ、
ゲーム装置、
データ表示ユニット、
マイクロフォン、
スピーカー、
音声認証ユニット、および／または
カメラ、
のうちの１つとして設計されている請求項１〜９のいずれか１項に記載の鞄。
【請求項１１】
上記鞄に組み込まれているキーボードを有する請求項１〜１０のいずれか１項に記載の鞄。
【請求項１２】
上記キーボードは、接触感知キーボードとして設計されている、および／または、上記キーボードのキー構成部として容量性センサーを備えている請求項１１に記載の鞄。
【請求項１３】
以下の種類の鞄：
書類ケース、
学校鞄、
リュックサック、
トランク、または、
ハンドバック
のうちの１つとして設計されている請求項１〜１２のいずれかに記載の鞄。
【国際調査報告】
2004514523.tif 000028
2004514523.tif 000029
2004514523.tif 000030
2004514523.tif 000031